(57)【要約】【課題】浴槽上に載置した状態で、折り畳みつつスライド可能にすることで、開閉動作が容易に行える風呂蓋を提供する。【解決手段】浴槽上に載置される風呂蓋であって、前記風呂蓋が複数の蓋体で折り畳み可能に構成されると共に、該風呂蓋の折り畳む方向の両端部にスライド手段を設け、浴槽上に載置した状態で折り畳みつつスライド可能としたことを特徴とする。また、前記スライド手段の少なくとも一方にロック手段が設けられていることを特徴とする。【選択図】  図３
2008228978.tif 000002
【特許請求の範囲】
【請求項１】
浴槽上に載置される風呂蓋であって、前記風呂蓋が複数の蓋体で折り畳み可能に構成されると共に、該風呂蓋の折り畳む方向の両端部にスライド手段を設け、浴槽上に載置した状態で折り畳みつつスライド可能としたことを特徴とする風呂蓋。
【請求項２】
前記スライド手段の少なくとも一方にロック手段が設けられていることを特徴とする請求項１に記載の風呂蓋。
【発明の詳細な説明】
【技術分野】
【０００１】
本発明は、システムバスルーム等の浴室の浴槽上に載置される風呂蓋に係り、特に浴槽上をスライド可能な風呂蓋に関する。
【背景技術】
【０００２】
一般的に、システムバスルーム等の浴室に設置される浴槽には、その上縁開口部を覆うための風呂蓋が載置されている。従来、この風呂蓋としては、例えば特許文献１に示すように、２枚に分割された蓋体を互いに接する状態で合わせて配置する合わせ蓋や、例えば特許文献２に示すように、複数の蓋体が可撓部を介して巻回可能に構成された巻き蓋等が使用されている。
【特許文献１】特開２００６−１５００３１号公報
【特許文献２】特開２００６−２３９０３５号公報
【発明の開示】
【発明が解決しようとする課題】
【０００３】
しかしながら、特許文献１に開示の合わせ蓋においては、蓋が配置された状態で入浴者が浴槽に入る場合に、２分割された各蓋体を一々持ち上げて浴槽から外す必要があり、この開放動作が面倒である。また、特許文献２に開示の巻き蓋においては、入浴中に巻回した蓋を浴槽本体上に立て掛けることが多いため、この立て掛け作業が面倒となり、いずれの蓋においても浴槽の上縁開口部を開放したり覆ったりする蓋の開閉動作や立て掛け作業が面倒で使い勝手が劣ることになる。
【０００４】
本発明は、このような事情に鑑みてなされたもので、その目的は、浴槽上に載置した状態で、折り畳みつつスライド可能にすることで、開閉動作が容易に行える風呂蓋を提供することにある。
【課題を解決するための手段】
【０００５】
かかる目的を達成すべく、本発明のうち請求項１に記載の発明は、浴槽上に載置される風呂蓋であって、前記風呂蓋が複数の蓋体で折り畳み可能に構成されると共に、該風呂蓋の折り畳む方向の両端部にスライド手段を設け、浴槽上に載置した状態で折り畳みつつスライド可能としたことを特徴とする。また、請求項２に記載の発明は、前記スライド手段の少なくとも一方にロック手段が設けられていることを特徴とする。
【発明の効果】
【０００６】
本発明のうち請求項１に記載の発明によれば、複数の蓋体で折り畳み可能に構成された風呂蓋の折り畳む方向の両端部にスライド手段を設け、このスライド手段により風呂蓋が浴槽上でスライドするため、蓋体の折り畳みとスライド動作により浴槽の上縁開口部を開閉できて、その動作を容易に行うことができ、風呂蓋の使い勝手を向上させることができる。
【０００７】
また、請求項２に記載の発明によれば、請求項１に記載の発明の効果に加え、スライド手段の少なくとも一方にロック手段が設けられているため、ロック手段で風呂蓋の一端を浴槽上に固定しつつスライドさせることができて、風呂蓋の開閉動作を一層スムーズかつ容易に行うことができる。
【発明を実施するための最良の形態】
【０００８】
以下、本発明の実施の形態を図面に基づいて詳細に説明する。
図１〜図５は、本発明に係る風呂蓋の一実施形態を示し、図１がその斜視図、図２がその端部裏面の斜視図、図３が浴槽への配置状態の縦断面図、図４が浴槽の平面図、図５が蓋の開放状態の縦断面図である。
【０００９】
図１及び図２に示すように、風呂蓋１は、樹脂製の２枚の蓋体１ａ、１ｂを有し、この蓋体１ａ、１ｂの長手方向の一方の端部が折り曲げ部２で連結されることで、平板状態と折り畳み状態とに変更可能に構成されている。そして、風呂蓋１を折り畳む方向の両端側である蓋体１ａ、１ｂの端部の裏面の両隅部には、合計４個のローラ４がそれぞれ回転自在に配設されている。
【００１０】
前記各ローラ４は、本発明のスライド手段を構成し、図４に示すように、浴槽５の上縁フランジ５ａの手前側と奥側に形成された一対の溝７にそれぞれ嵌挿されてスライド可能となっている。なお、浴槽５の上縁フランジ５ａに設けられるガイドは、溝７に限らず図４の一点鎖線ａで示すように、一条もしくは二条の突条８等で形成することも可能である。なお、ローラ４は、ロック機構付きのローラが使用されて必要に応じその回転を禁止でき、また、図２及び図３に示すように、ローラケース１０に回転自在に取り付けられて、このローラケース１０が蓋体１ａ、１ｂの端部裏面の両隅部にそれぞれ埋設状態で配設され、ローラ４の下端外周面が蓋体１ａ、１ｂの裏面から所定寸法突出するように設定されている。
【００１１】
そして、図３の実線で示すように、蓋体１ａ、１ｂが浴槽５の上縁フランジ５ａ上に平板状態で載置されて、浴槽５の上縁開口部５ｂが風呂蓋１で覆われた状態となる。また、入浴者が浴槽５に入る場合は、平板状態の風呂蓋１の蓋体１ａの２個のローラ４のうち少なくとも１個のローラ４の前記ロック機構を操作してロック状態とし、蓋体１ｂの端部を手で持って矢印イの如く蓋体１ａ方向に押す。この蓋体１ｂを押すことで、図３の二点鎖線で示すように、折り曲げ部２が上方に持ち上がり、この状態から蓋体１ｂをさらに押すことで、図３の一点鎖線で示すように、２枚の蓋体１ａ、１ｂが折り曲げ部２で略完全に折り畳まれて浴槽５の上縁フランジ５ａ上に立設した状態となる。
【００１２】
この立設状態において、蓋体１ｂのローラ４をそのロック機構でロック状態とすることで２枚の蓋体１ａ、１ｂが立設状態を維持でき、浴槽５の上縁開口部５ｂが開放されて、浴槽５に入浴者が入ることができる。なお、以上の説明では、蓋体１ａのローラ４をロック状態として蓋体１ｂを蓋体１ａ方向に押すことで蓋体１ａ、１ｂを折り畳んだが、反対に、蓋体１ｂのローラ４をロックして蓋体１ａを蓋体１ｂ方向に押して蓋体１ａ、１ｂを折り畳むことも可能である。
【００１３】
また、例えば入浴が終了して風呂蓋１で浴槽５の上縁開口部５ｂを覆う場合は、蓋体１ｂの下部を手で持って前方に引っ張ることで、折り曲げ部２を開きつつ２枚の蓋体１ａ、１ｂを平板状態として浴槽５上に載置する。なお、蓋体１ｂの端部に図１及び図３の二点鎖線で示すように把手１１を取り付け、この把手１１を持って蓋体１ｂを押したり引っ張ったりできるように構成して、蓋１の開閉動作をし易くすることもできる。つまり、前記風呂蓋１の場合、折り畳み可能な２枚の蓋体１ａ、１ｂの一方を他方側に押したり引っ張ったりすることで、２枚の蓋体１ａ、１ｂがスライド動作と折り畳み動作を行い、浴槽５の上縁開口部５ｂが開放されたり風呂蓋１で覆われることになる。
【００１４】
なお、上記例では、折り畳んだ２枚の蓋体１ａ、１ｂの各ローラ４をロックすることで浴槽５の上縁フランジ５ａ上に立設状態としたが、図５に示すように、風呂蓋１が立設される浴槽５の一端側の浴室壁面１２にフック１３（係止手段）を回動可能に取り付け、風呂蓋１を立設状態とした際にフック１３で２枚の蓋体１ａ、１ｂの連結部である折り曲げ部２部分を係止させるようにしても良い。このように構成すれば、立設状態の２枚の蓋体１ａ、１ｂを浴槽５の上縁フランジ５ａ上に一層安定支持できる。なお、この例の場合、風呂蓋１が長手方向の両端部から折り畳み可能であるため、図５の二点鎖線で示すように、前記壁面１２と対向する浴室壁面１２にフック１３を取り付けて、入浴者の入浴時の向きに応じて浴槽の長手方向両端部の所望の浴室壁面１２に風呂蓋１を立設状態で保持できる構成としても良い。
【００１５】
また、上記例では、スライド手段として回転自在なローラ４を使用したが、ローラ４の代わりに、図示しない摩擦係数が小さく滑りやすい平板状態の易摺動部材や断面三角形状の複数の突条で形成した突条部材等を使用しても良い。さらに、風呂蓋１は、溝７や突条８等のガイドが形成されていない一般的な浴槽に使用することも可能である。この一般的な浴槽に風呂蓋１を使用する場合は、平坦な上縁フランジ上をそのままスライドさせれば良い。
【００１６】
このように、上記実施形態の風呂蓋１にあっては、折り畳み可能に構成された蓋体１ａ、１ｂの折り畳む方向の両端部にローラ４が回転自在に配設されているため、蓋１ｂを蓋体１ａ方向に押したり引っ張ったりすることで、各蓋体１ａ、１ｂを折り畳みつつスライドさせて浴槽５の上縁開口部５ａを開閉でき、風呂蓋１を従来のように持ち上げることなく浴槽５上で移動させることができる。このため、風呂蓋１の開放動作や覆う動作を容易に行うことができ、その使い勝手を向上させることが可能となる。
【００１７】
特に、スライド手段として回転自在なローラ４を使用しているため、風呂蓋１のスライド動作に大きな力を必要とすることなくスムーズに行うことができて、高齢者や子供であっても風呂蓋１の開閉動作を簡単に行うことができる。また、風呂蓋１の折り畳む方向の両端部にロック機構付きのローラ４がそれぞれ配設されているため、風呂蓋１の折り畳みを両端部から行うことができて、入浴者の入浴の向きに係わらず対応でき、使い勝手により優れた風呂蓋１の提供が可能となる。
【００１８】
また、スライド手段として、ローラ４の代わりに易摺動部材や突条部材を採用することで、スライド手段の風呂蓋１への取り付けを例えば両面テープや接着剤等で行うことができて、その作業が簡略化されて安価な風呂蓋１を得ることができる。
【００１９】
図６及び図７は、本発明に係る風呂蓋の他の実施形態を示す斜視図及びその配置状態の概略縦断面図である。以下、上記実施形態と同一部位には同一符号を付して説明する。この実施形態の特徴は、風呂蓋１７を、図では６枚の複数の蓋体１７ａ〜１７ｆを折り曲げ部１８で連結した蛇腹状とし、風呂蓋１７の折り畳む方向の両端部における蓋体１７ａ、１７ｆの裏面の両隅部にローラ４をそれぞれ回転自在に配設した点にある。
【００２０】
この実施形態の蓋１７においても、蓋体１７ｆの端部を矢印イの如く蓋体１７ａ方向、もしくは蓋体１７ａの端部を蓋体１７ｆ方向に押すことにより、図７の二点鎖線で示すように、各蓋体１７ａ〜１７ｆが折り畳み状態となって、浴槽５の上縁開口部５ｂが開放され、上記実施形態の風呂蓋１と同様の作用効果を得ることができる。また、蓋体の枚数は、浴槽５の大きさや形状等に応じて適宜に変更することができる。
【００２１】
なお、本発明は、上記した各実施形態に限定されるものではなく、例えば図６及び図７に示す実施形態に、図５に示す構成を採用する等、各実施形態を適宜に組み合わせることができる。また、上記実施形態における、風呂蓋の形状や浴槽の形状、風呂蓋の端部のロック手段の構成等も一例であって、例えばロック手段として、着脱可能なフック等の係止部材を使用する等、本発明に係る各発明の要旨を逸脱しない範囲において適宜に変更することができる。
【産業上の利用可能性】
【００２２】
本発明は、システムバスルーム等の浴室に設置される浴槽に限らず、例えば在来工法の浴室に設置される浴槽や各種施設の浴室に設置される浴槽にも利用できる。
【図面の簡単な説明】
【００２３】
【図１】本発明に係る風呂蓋の一実施形態を示す斜視図
【図２】同その蓋体の一端側裏面を示す斜視図
【図３】同風呂蓋の配置状態の縦断面図
【図４】同浴槽の平面図
【図５】同風呂蓋の保持状態の縦断面図
【図６】本発明に係る風呂蓋の他の実施形態を示す斜視図
【図７】同その配置状態の概略縦断面図
【符号の説明】
【００２４】
１・・・蓋、１ａ、１ｂ・・・蓋体、２・・・折り曲げ部、４・・・ローラ、５・・・浴槽、５ａ・・・上縁フランジ、５ｂ・・・上縁開口部、７・・・溝、８・・・突条、１０・・・ローラケース、１１・・・把手、１２・・・浴室壁面、１３・・・フック、１７・・・蓋、１７ａ〜１７ｆ・・・蓋体、１８・・・折り曲げ部。
【図１】
2008228978.tif 000003
【図２】
2008228978.tif 000004
【図３】
2008228978.tif 000005
【図４】
2008228978.tif 000006
【図５】
2008228978.tif 000007
【図６】
2008228978.tif 000008
【図７】
2008228978.tif 000009